(57)【要約】【課題】  移動端末における視聴情報とともに放送受信品質を蓄積することにより、ユーザの実際の視聴状況をより正確に把握すること。【解決手段】  この移動端末２は、放送用電波を受信する電波受信部２１と、電波受信部２１によって受信された放送用電波を復調することにより放送信号を取得後、放送信号を再生する信号再生部２２と、電波受信部２１によって受信された放送用電波の受信レベルを測定するレベル測定部２４と、信号再生部２２によって再生された時刻である視聴時刻とレベル測定部２４によって測定された当該視聴時刻における受信レベルとを含む視聴情報を生成する情報生成部２８と、情報生成部２８によって生成された視聴情報を送信する情報送信部３０とを備える。【選択図】  図１
2005260728.tif 000002
【特許請求の範囲】
【請求項１】
放送用電波を受信する電波受信手段と、
前記電波受信手段によって受信された放送用電波を復調することにより放送信号を取得後、前記放送信号を再生する信号再生手段と、
前記電波受信手段によって受信された放送用電波の受信レベルを測定するレベル測定手段と、
前記信号再生手段によって再生された時刻である視聴時刻と前記レベル測定手段によって測定された当該視聴時刻における受信レベルとを含む視聴情報を生成する情報生成手段と、
前記情報生成手段によって生成された視聴情報を送信する情報送信手段と、
を備えることを特徴とする移動端末。
【請求項２】
前記レベル測定手段は、前記電波受信手段による放送用電波の受信時のノイズレベルを併せて測定し、
前記情報生成手段は、前記視聴時刻と前記レベル測定手段によって測定された当該視聴時刻における受信レベル及びノイズレベルとを含む視聴情報を生成する、
請求項１記載の移動端末。
【請求項３】
放送用電波を受信する電波受信手段と、
前記電波受信手段によって受信された放送用電波を復調することにより放送信号を取得後、前記放送信号を再生する信号再生手段と、
前記電波受信手段によって受信された放送用電波の受信レベルを測定するレベル測定手段と、
前記レベル測定手段によって測定された受信レベルと予め定められた閾値とを比較することによって、前記放送用電波の受信品質を判定する状態判定手段と、
前記信号再生手段によって再生された時刻である視聴時刻と前記状態判定手段によって判定された当該視聴時刻における受信品質とを含む視聴情報を生成する情報生成手段と、
前記情報生成手段によって生成された視聴情報を送信する情報送信手段と、
を備えることを特徴とする移動端末。
【請求項４】
前記レベル測定手段は、前記電波受信手段による放送用電波の受信時のノイズレベルを併せて測定し、
前記状態判定手段は、前記レベル測定手段によって測定された受信レベルとノイズレベルとの比と、予め定められた閾値とを比較することによって前記受信品質を判定する、
請求項３記載の移動端末。
【請求項５】
前記視聴時刻における自己の位置情報を取得する位置取得手段を更に備え、
前記情報送信手段は、前記位置取得手段によって取得された位置情報を、前記視聴情報に含めて送信する、
請求項１〜４のいずれか一項に記載の移動端末。
【請求項６】
前記視聴時刻における自己の移動速度を検出する速度検出手段とを更に備え、
前記情報送信手段は、前記速度検出手段によって検出された移動速度を、前記視聴情報に含めて送信する、
請求項５記載の移動端末。
【請求項７】
請求項１〜６のいずれか１項に記載の移動端末と、
サーバ装置とを備えて構成され、
前記サーバ装置は、
前記移動端末から送信された視聴情報を受信する受信手段と、
前記受信手段によって受信された視聴情報を、前記移動端末を特定する情報に関連付けて格納する情報格納手段と、
を備えることを特徴とする視聴情報収集システム。
【請求項８】
請求項１記載の移動端末と、
サーバ装置とを備えて構成され、
前記サーバ装置は、
前記移動端末から送信された視聴情報を受信する受信手段と、
前記視聴情報に含まれる受信レベルと予め定められた閾値とを比較することによって、前記視聴情報によって特定される視聴時刻における放送用電波の受信品質を判定する状態判定手段と、
前記受信手段によって受信された視聴情報を、前記状態判定手段によって判定された受信品質、及び前記移動端末を特定する情報に関連付けて格納する情報格納手段と、
を備えることを特徴とする視聴情報収集システム。
【請求項９】
請求項２記載の移動端末と、
サーバ装置とを備えて構成され、
前記サーバ装置は、
前記移動端末から送信された視聴情報を受信する受信手段と、
前記視聴情報に含まれる受信レベルとノイズレベルとの比と、予め定められた閾値とを比較することによって、前記視聴情報によって特定される視聴時刻における放送用電波の受信品質を判定する状態判定手段と、
前記受信手段によって受信された視聴情報を、前記状態判定手段によって判定された受信品質、及び前記移動端末を特定する情報に関連付けて格納する情報格納手段と、
を備えることを特徴とする視聴情報収集システム。
【請求項１０】
請求項６記載の移動端末と、
サーバ装置とを備えて構成され、
前記サーバ装置は、
交通手段の経路情報を格納する経路格納手段と、
前記移動端末から送信された視聴情報を受信する受信手段と、
前記視聴情報に含まれる位置情報及び移動速度と前記経路格納手段に格納された経路情報とに基づいて、前記視聴情報によって特定される視聴時刻における前記移動端末の移動状態を判定する移動判定手段と、
前記受信手段によって受信された視聴情報を、前記移動判定手段によって判定された移動状態、及び前記移動端末を特定する情報に関連付けて格納する情報格納手段と、
を備えることを特徴とする視聴情報収集システム。
【請求項１１】
移動端末が、放送用電波を受信する電波受信ステップと、
前記移動端末が、前記電波受信ステップにおいて受信された放送用電波を復調することにより放送信号を取得後、前記放送信号を再生する信号再生ステップと、
前記移動端末が、前記電波受信ステップにおいて受信された放送用電波の受信レベルを測定するレベル測定ステップと、
前記移動端末が、前記信号再生ステップにおいて再生された時刻である視聴時刻と前記レベル測定ステップにおいて測定された当該視聴時刻における受信レベルとを含む視聴情報を生成する情報生成ステップと、
前記移動端末が、前記情報生成ステップにおいて生成された視聴情報を送信する情報送信ステップと、
サーバ装置が、前記情報送信ステップにおいて送信された視聴情報を受信する受信ステップと、
前記サーバ装置が、前記受信ステップにおいて受信された視聴情報を、前記移動端末を特定する情報に関連付けて格納する情報格納ステップと、
を備えることを特徴とする視聴情報収集方法。
【請求項１２】
移動端末が、放送用電波を受信する電波受信ステップと、
前記移動端末が、前記電波受信ステップにおいて受信された放送用電波を復調することにより放送信号を取得後、前記放送信号を再生する信号再生ステップと、
前記移動端末が、前記電波受信ステップにおいて受信された放送用電波の受信レベルを測定するレベル測定ステップと、
前記移動端末が、前記レベル測定ステップにおいて測定された受信レベルと予め定められた閾値とを比較することによって、前記放送用電波の受信品質を判定する状態判定ステップと、
前記移動端末が、前記信号再生ステップにおいて再生された時刻である視聴時刻と前記状態判定ステップにおいて判定された当該視聴時刻における受信品質とを含む視聴情報を生成する情報生成ステップと、
前記移動端末が、前記情報生成ステップにおいて生成された視聴情報を送信する情報送信ステップと、
サーバ装置が、前記情報送信ステップにおいて送信された視聴情報を受信する受信ステップと、
前記サーバ装置が、前記受信ステップにおいて受信された視聴情報を、前記移動端末を特定する情報に関連付けて格納する情報格納ステップと、
を備えることを特徴とする視聴情報収集方法。
【発明の詳細な説明】
【技術分野】
【０００１】
本発明は、移動端末、視聴情報収集システム、及び視聴情報収集方法に関するものである。
【背景技術】
【０００２】
近年、携帯電話機等の通信端末の高機能化に伴い、通信端末にテレビ放送やラジオ放送の受信・再生機能が搭載されるようになっている。このような通信端末における放送視聴状況を収集することは、家庭内に設置されたテレビ受像機を対象とした場合と比較して、個人の視聴傾向を知ることができるという意味で有意義である。
【０００３】
例えば、この種の放送視聴状況を収集する技術としては、特許文献１に記載の視聴情報収集システムがある。この視聴情報収集システムでは、携帯電話機等の放送受信端末が放送番組を受信時に、視聴日時、その携帯電話機の位置情報、視聴者プロフィールとをネットワーク内に設置された視聴情報サーバに自動送信し、視聴情報サーバにおいてこれらの情報を蓄積保存する。
【特許文献１】特開２００２−３４４９３３号公報
【発明の開示】
【発明が解決しようとする課題】
【０００４】
しかしながら、上述した特許文献１に記載の視聴情報収集システムにおいては、デジタル放送のデータ放送ストリームを受信した時刻が視聴情報として送信されており、いわば携帯電話機の操作履歴としての情報が提供されるに過ぎない。一方、携帯電話機における放送電波の受信環境は、その移動性から時々刻々と変化するものであるため、携帯電話機によって常に放送が正常に受信・再生されるとは限らない。
【０００５】
そこで、本発明はかかる課題に鑑みて為されたものであり、移動端末における視聴情報とともに放送受信品質を蓄積することにより、ユーザの実際の視聴状況をより正確に把握することが可能な移動端末、視聴情報収集システム、及び視聴情報収集方法を提供することを目的とする。
【課題を解決するための手段】
【０００６】
上記課題を解決するため、本発明の移動端末は、放送用電波を受信する電波受信手段と、電波受信手段によって受信された放送用電波を復調することにより放送信号を取得後、放送信号を再生する信号再生手段と、電波受信手段によって受信された放送用電波の受信レベルを測定するレベル測定手段と、信号再生手段によって再生された時刻である視聴時刻とレベル測定手段によって測定された当該視聴時刻における受信レベルとを含む視聴情報を生成する情報生成手段と、情報生成手段によって生成された視聴情報を送信する情報送信手段とを備える。
【０００７】
このような移動端末によれば、電波受信手段が放送用電波を受信した後、信号再生手段が放送用電波を復調再生するとともに、レベル測定手段が放送用電波の受信レベルを測定する。その際、情報生成手段が視聴時刻とその時刻における受信レベルとを含む視聴情報を生成した後、情報送信手段がその視聴情報を送信する。これにより、移動端末における放送番組の視聴時における電波受信状況を提供することができる。
【０００８】
また、レベル測定手段は、電波受信手段による放送用電波の受信時のノイズレベルを併せて測定し、情報生成手段は、視聴時刻とレベル測定手段によって測定された当該視聴時刻における受信レベル及びノイズレベルとを含む視聴情報を生成することが好ましい。この場合、移動端末が位置する環境の雑音レベルが変化する場合であっても、放送視聴時の電波受信状況をより柔軟に把握することができる。
【０００９】
或いは、本発明の移動端末は、放送用電波を受信する電波受信手段と、電波受信手段によって受信された放送用電波を復調することにより放送信号を取得後、放送信号を再生する信号再生手段と、電波受信手段によって受信された放送用電波の受信レベルを測定するレベル測定手段と、レベル測定手段によって測定された受信レベルと予め定められた閾値とを比較することによって、放送用電波の受信品質を判定する状態判定手段と、信号再生手段によって再生された時刻である視聴時刻と状態判定手段によって判定された当該視聴時刻における受信品質とを含む視聴情報を生成する情報生成手段と、情報生成手段によって生成された視聴情報を送信する情報送信手段とを備える。
【００１０】
このような移動端末によれば、電波受信手段が放送用電波を受信した後、信号再生手段が放送用電波を復調再生するとともに、レベル測定手段が放送用電波の受信レベルを測定する。その際、状態判定手段が受信レベルと閾値とを比較して電波の受信品質を判定し、情報生成手段が視聴時刻とその時刻における受信品質とを含む視聴情報を生成した後、情報送信手段がその視聴情報を送信する。これにより、個々の移動端末における受信機種別及び通信方式等に応じた放送視聴時の電波受信状況を提供することができる。
【００１１】
また、レベル測定手段は、電波受信手段による放送用電波の受信時のノイズレベルを併せて測定し、状態判定手段は、レベル測定手段によって測定された受信レベルとノイズレベルとの比と、予め定められた閾値とを比較することによって、受信品質を判定することが好ましい。こうすれば、移動端末が雑音の多い環境に位置する場合であっても、個々の移動端末における受信機種別及び通信方式等に応じた放送視聴時の電波受信状況をより柔軟に把握することができる。
【００１２】
またさらに、視聴時刻における自己の位置情報を取得する位置取得手段を更に備え、情報送信手段は、位置取得手段によって取得された位置情報を、視聴情報に含めて送信することも好ましい。このような構成とすれば、放送視聴時のユーザの場所を送信することにより、視聴場所毎の視聴状況を提供することができる。
【００１３】
さらにまた、視聴時刻における自己の移動速度を検出する速度検出手段とを更に備え、情報送信手段は、速度検出手段によって検出された移動速度を、視聴情報に含めて送信することも好ましい。この場合、放送視聴時のユーザの移動状態を送信することにより、例えば、視聴場所、視聴時に利用している交通機関毎の視聴状況を提供することができる。
【００１４】
本発明の視聴情報収集システムは、上述の移動端末と、サーバ装置とを備えて構成され、サーバ装置は、移動端末から送信された視聴情報を受信する受信手段と、受信手段によって受信された視聴情報を、移動端末を特定する情報に関連付けて格納する情報格納手段とを備える。
【００１５】
また、本発明の視聴情報収集方法は、移動端末が、放送用電波を受信する電波受信ステップと、移動端末が、電波受信ステップにおいて受信された放送用電波を復調することにより放送信号を取得後、放送信号を再生する信号再生ステップと、移動端末が、電波受信ステップにおいて受信された放送用電波の受信レベルを測定するレベル測定ステップと、移動端末が、信号再生ステップにおいて再生された時刻である視聴時刻とレベル測定ステップにおいて測定された当該視聴時刻における受信レベルとを含む視聴情報を生成する情報生成ステップと、移動端末が、情報生成ステップにおいて生成された視聴情報を送信する情報送信ステップと、サーバ装置が、情報送信ステップにおいて送信された視聴情報を受信する受信ステップと、サーバ装置が、受信ステップにおいて受信された視聴情報を、移動端末を特定する情報に関連付けて格納する情報格納ステップとを備えることを特徴とする。
【００１６】
この視聴情報収集システム及び視聴情報収集方法によれば、移動端末が放送用電波を受信した後、放送用電波を復調再生するとともに、放送用電波の受信レベルを測定する。その際、移動端末は視聴時刻とその時刻における受信レベルとを含む視聴情報を生成した後にサーバ装置に送信し、サーバ装置は受信した視聴情報を移動端末を特定する情報に関連付けて格納する。これにより、移動端末における放送番組の視聴時における電波受信状況をサーバ装置に蓄積して提供することができる。
【００１７】
或いは、本発明の視聴情報収集システムは、上述の移動端末と、サーバ装置とを備えて構成され、サーバ装置は、移動端末から送信された視聴情報を受信する受信手段と、視聴情報に含まれる受信レベルと予め定められた閾値とを比較することによって、視聴情報によって特定される視聴時刻における放送用電波の受信品質を判定する状態判定手段と、受信手段によって受信された視聴情報を、状態判定手段によって判定された受信品質、及び移動端末を特定する情報に関連付けて格納する情報格納手段とを備える。
【００１８】
また、本発明の視聴情報収集方法は、移動端末が、放送用電波を受信する電波受信ステップと、移動端末が、電波受信ステップにおいて受信された放送用電波を復調することにより放送信号を取得後、放送信号を再生する信号再生ステップと、移動端末が、電波受信ステップにおいて受信された放送用電波の受信レベルを測定するレベル測定ステップと、移動端末が、レベル測定ステップにおいて測定された受信レベルと予め定められた閾値とを比較することによって、放送用電波の受信品質を判定する状態判定ステップと、移動端末が、信号再生ステップにおいて再生された時刻である視聴時刻と状態判定ステップにおいて判定された当該視聴時刻における受信品質とを含む視聴情報を生成する情報生成ステップと、移動端末が、情報生成ステップにおいて生成された視聴情報を送信する情報送信ステップと、サーバ装置が、情報送信ステップにおいて送信された視聴情報を受信する受信ステップと、サーバ装置が、受信ステップにおいて受信された視聴情報を、移動端末を特定する情報に関連付けて格納する情報格納ステップとを備える。
【００１９】
この視聴情報収集システム及び視聴情報収集方法によれば、移動端末が放送用電波を受信した後、放送用電波を復調再生するとともに、放送用電波の受信レベルを測定する。その後、その受信レベルと閾値とが比較されることにより電波の受信品質が判定され、視聴時刻と受信品質とを含む視聴情報が移動端末を特定する情報に対応づけられてサーバに格納される。これにより、個々の移動端末における受信機種別及び通信方式等に応じた放送視聴時の電波受信状況をサーバ装置に蓄積して提供することができる。
【００２０】
或いは、本発明の視聴情報収集システムは、上述の移動端末と、サーバ装置とを備えて構成され、サーバ装置は、移動端末から送信された視聴情報を受信する受信手段と、視聴情報に含まれる受信レベルとノイズレベルとの比と、予め定められた閾値とを比較することによって、視聴情報によって特定される視聴時刻における放送用電波の受信品質を判定する状態判定手段と、受信手段によって受信された視聴情報を、状態判定手段によって判定された受信品質、及び移動端末を特定する情報に関連付けて格納する情報格納手段とを備える。
【００２１】
この視聴情報収集システムによれば、移動端末が放送用電波を受信した後、放送用電波を復調再生するとともに、放送用電波の受信レベル及びノイズレベルを測定する。その際、移動端末は、視聴時刻とその時刻における受信レベル及びノイズレベルとを含む視聴情報を生成してサーバに送信し、サーバ装置は、受信レベルとノイズレベルとの比と、閾値とを比較して電波の受信品質を判定し、視聴情報を受信品質、及び移動端末を特定する情報に関連付けて格納する。これにより、受信電波環境が様々変化する場合であっても、個々の移動端末における受信機種別及び通信方式等に応じた放送視聴時の電波受信状況をサーバ装置に蓄積して提供することができる。
【００２２】
或いは、本発明の視聴情報収集システムは、上述の移動端末と、サーバ装置とを備えて構成され、サーバ装置は、交通手段の経路情報を格納する経路格納手段と、移動端末から送信された視聴情報を受信する受信手段と、視聴情報に含まれる位置情報及び移動速度と経路格納手段に格納された経路情報とに基づいて、視聴情報によって特定される視聴時刻における移動端末の移動状態を判定する移動判定手段と、受信手段によって受信された視聴情報を、移動判定手段によって判定された移動状態、及び移動端末を特定する情報に関連付けて格納する情報格納手段とを備える。
【００２３】
この視聴情報収集システムによれば、移動端末が視聴情報に放送視聴時の自己の位置情報、移動速度を含んで送信し、サーバ装置が視聴情報を受信後に、位置情報及び移動速度と経路格納手段に格納された経路情報とに基づいて、移動端末の移動状態を判定し、視聴情報を移動状態、及び移動端末を特定する情報に関連付けて格納する。これにより、例えば、場所、交通機関毎の視聴状況をサーバ装置に蓄積して提供することができる。
【発明の効果】
【００２４】
本発明の移動端末によれば、移動端末における視聴情報とともに放送受信品質を蓄積することにより、ユーザの実際の視聴状況をより正確に把握することができる。
【発明を実施するための最良の形態】
【００２５】
本発明の実施形態について図面を参照して説明する。なお、各図において、同一要素には同一符号を付して重複する説明を省略する。
【００２６】
［第１実施形態］
まず、本発明の第１実施形態に係る視聴情報収集システムの構成を説明する。図１は、本発明の第１実施形態を示す視聴情報収集システム１の概略構成図である。
【００２７】
視聴情報収集システム１は、移動端末において視聴されたデジタルテレビ放送に関する視聴情報を収集して蓄積するためのネットワークシステムである。視聴情報収集システム１は、移動端末２と、サーバ装置４とを含んで構成されており、移動端末２とサーバ装置４とは、移動体通信ネットワーク、ＬＡＮ（Local Area Network）、及びＷＡＮ（Wide Area Network）から構成されるネットワーク６を介して、相互にデータの送受信が可能とされている。図１においては、説明の便宜上、移動端末を１台のみ表示しているが、図示しない他の移動端末を含んでいても良いことは言うまでもない。
【００２８】
移動端末２は、移動体通信方式による音声通信、パケットデータ通信とともに、デジタルテレビ放送の受信、再生が可能な通信端末である。このような通信端末の例としては、携帯電話機、ＰＨＳ（Personal Handyphone System）、ＰＤＡ（Personal Digital Assistants）、可搬型パーソナルコンピュータ等が挙げられる。この移動端末２は、出力手段としてディスプレイ２３ａとスピーカ２３ｂとを備え、他に機能的な構成要素として、電波受信部（電波受信手段）２１、信号再生部（信号再生手段）２２と、レベル測定部（レベル測定手段）２４と、位置取得部（位置取得手段）２５と、ＧＰＳ測位部２６と、速度検出部（速度検出手段）２７と、情報生成部（情報生成手段）２８と、視聴情報格納部２９と、情報送信部（情報送信手段）３０とを含んで構成されている。以下、各構成要素について詳細に説明する。
【００２９】
電波受信部２１は、デジタルテレビ放送用電波を受信する部分である。この放送用電波は、例えば、ＯＦＤＭ（Orthogonal Frequency Division Multiplexing）方式等で多重化された複数の搬送波を有するものである。それぞれの搬送波は、デジタルテレビ放送の特定の番組チャンネルに対応しており、音声データ、映像データ、及びデジタルデータが多重化されたデジタル信号であるトランスポートストリームを、ＱＰＳＫ（Quadrature Phase Shift Keying）方式等で符号化した状態で搬送するためのものである。また、トランスポートストリームに含まれる音声データは、ＭＰＥＧ−２  ＡＡＣ（Moving Picture Experts Group 2 Advanced Audio Coding）方式等で符号化され、映像データは、ＭＰＥＧ−４（Moving Picture Experts Group 4）方式、Ｈ．２６４方式等で符号化されている。
【００３０】
そこで、電波受信部２１は、操作ボタン等からデジタルテレビ放送の視聴開始指示と番組チャンネルの選択とを受け付けると、該当周波数帯の放送用電波を受信し、その放送用電波の中からその番組チャンネルに対応する搬送波を取り出して信号再生部２２に出力する。また、操作ボタン等からデジタルテレビ放送の視聴終了指示を受け付けると、放送用電波の受信を終了する。一方、番組チャンネルの変更要求を受け付けると、一旦放送用電波の受信を終了し、新たな番組チャンネルに対応する放送用電波の受信を開始する。さらに、電波受信部２１は、受信した放送用電波のレベル測定のためにその放送用電波をレベル測定部２４に出力することも行う。
【００３１】
信号再生部２２は、電波受信部２１から出力された搬送波を復調することにより放送信号としての映像データ及び音声データを取得後、その放送信号を再生する部分である。より詳細には、信号再生部２２は、搬送波を復調することによりトランスポートストリームを取り出して誤り訂正処理を行った後、そのトランスポートストリームから音声データと映像データとデジタルデータとを分離する。そして、映像データをディスプレイ２３ａで復号再生するとともに、音声データをスピーカ２３ｂで復号再生する。その際、信号再生部２２は、放送信号の再生開始時刻及び再生終了時刻において、情報生成部２８及び位置取得部２５に対して再生開始及び再生終了を示すトリガー信号を出力するとともに、情報生成部２８に対しては再生した番組チャンネルを出力する。
【００３２】
レベル測定部２４は、電波受信部２１から出力された放送用電波の受信レベル及びノイズレベルを測定する部分である。ここでは、放送用電波の受信レベルとして、ＯＦＤＭ方式等で多重化された複数の搬送波を含む受信電波の電力の総和が測定される。また、ノイズレベルとしては、放送用電波に含まれるノイズの受信電力が測定される。レベル測定部２４は、放送用電波の受信レベルＣ［dBm］及びその放送用電波に含まれるノイズのレベルＮ［dBm］を逐次測定して、それらを情報生成部２８に出力する。
【００３３】
位置取得部２５は、信号再生部２２から出力されたトリガー信号に応じて、デジタルテレビ放送の再生開始時刻から再生終了時刻までの間（視聴時刻）における自己の位置情報を取得する部分である。すなわち、位置取得部２５は、再生開始時刻から一定時間間隔Ｔ１で、ＧＰＳ測位部２６に対して移動端末２に関する測位を要求する。また、併せて、位置取得部２５は、再生終了時刻においても、ＧＰＳ測位部２６に対して移動端末２に関する測位を要求する。そして、位置取得部２５は、それぞれの時刻においてＧＰＳ測位部２６において測位された移動端末２の位置情報（Ｘ，Ｙ）（Ｘは経度情報、Ｙは経度情報）を速度検出部２７に出力する。
【００３４】
ＧＰＳ測位部２６は、位置取得部２５からの測位要求に応じて、移動端末２の測位を行い位置情報（Ｘ，Ｙ）を生成する。ここで、ＧＰＳ測位部２６は、ＧＰＳ衛星からの電波を受信して、その電波の到来時間から自己の位置情報を計算する。なお、この測位は、ネットワーク６に接続された図示しないサーバによって行われてもよい。そして、ＧＰＳ測位部２６は、計算した位置情報（Ｘ，Ｙ）を位置取得部２５に返送する。
【００３５】
速度検出部２７は、位置取得部２５から出力された位置情報に基づいて、デジタルテレビ放送の再生開始時刻から再生終了時刻までの間における自己の移動速度を検出する部分である。より具体的には、速度検出部２７は、位置取得部２５から位置情報（Ｘ，Ｙ）を受け取ると、前回受け取った位置情報から移動端末２が変位した距離を算出し、さらに、前回測位からの経過時間に基づいて移動速度Ｖを算出する。速度検出部２７は、算出した移動速度Ｖを、位置情報（Ｘ，Ｙ）と併せて情報生成部２８に出力する。
【００３６】
情報生成部２８は、再生開始時刻から再生終了時刻までの間におけるデジタルテレビ放送に関する視聴情報を生成する部分である。すなわち、情報生成部２８は、信号再生部２２から再生開始又は再生終了を示すトリガー信号を受け取ると、再生された番組チャンネルと、現在時刻と、レベル測定部２４で測定された現在時刻における受信レベル及びノイズレベルと、速度検出部２７から出力された位置情報及び移動速度とを含む視聴情報を生成する。また、情報生成部２８は、再生開始時刻から一定時間間隔Ｔ２で、番組チャンネルと、レベル測定部２４で測定された受信レベル及びノイズレベルとを含む視聴情報を生成する。さらに、情報生成部２８は、再生開始時刻から一定時間間隔Ｔ１で、番組チャンネルと、ＧＰＳ測位部２６で測定された位置情報と、速度検出部２７で検出された移動速度とを含む視聴情報を生成する。その後、情報生成部２８は、生成した視聴情報を、移動端末２のユーザを特定する視聴者ＩＤ、及び視聴情報の種別を示すイベント種別に関連づけて、視聴情報格納部２９に格納する。
【００３７】
図２は、測位時間間隔Ｔ１、及びレベル測定時間間隔Ｔ２が、Ｔ１＝Ｔ２＝６０ｓｅｃの場合において、視聴情報格納部２９に格納されるデータの一例を示す図である。同図に示すように、イベント種別「視聴開始」に属する視聴情報として、再生された番組チャンネル「16」と、イベント時刻としての再生開始時刻「2/17 10:14:07」と、再生開始時刻における受信レベル「C0［dBm］」、ノイズレベル「N0［dBm］」、及び位置情報「(X0,Y0)」とが、視聴者ＩＤ「001」に関連づけて格納されている。また、再生開始からＴ１経過後に生成されるイベント種別「レベル取得」に属する視聴情報として、番組チャンネル「16」と、イベント時刻「2/17 10:15:07」と、イベント時刻における受信レベル「C1［dBm］」及びノイズレベル「N1［dBm］」とが、視聴者ＩＤ「001」に関連づけて格納されている。同様に、再生開始からＴ２経過後に生成されるイベント種別「速度検出」に属する視聴情報として、番組チャンネル「16」と、イベント時刻「2/17 10:15:07」と、イベント時刻における位置情報「(X1,Y1)」、及び移動速度「V1」とが、視聴者ＩＤ「001」に関連づけて格納されている。さらには、再生終了時刻に生成される視聴情報として、イベント時刻としての再生終了時刻「2/17 10:16:00」を含むイベント種別「視聴終了」に属する視聴情報も併せて格納されている。
【００３８】
図１に戻って、情報送信部３０は、視聴情報格納部２９に格納された視聴情報をサーバ装置４に送信する部分である。この送信タイミングは、情報生成部２８によって視聴情報が生成されるタイミングでも良いし、視聴情報格納部２９に一定のデータ量が蓄積されたタイミングでも良いし、一定時間間隔であっても良い。これらの送信タイミングの中では、ネットワークへの負担が軽減できるという点で、視聴情報格納部２９に一定のデータ量が蓄積されたタイミングがより好ましい。
【００３９】
次に、サーバ装置４の構成について説明する。
【００４０】
サーバ装置４は、移動端末２から送信される視聴情報を受信蓄積するためのコンピュータシステム（又は、コンピュータシステムの集合体）である。サーバ装置４は、受信部（受信手段）４１と、状態判定部（状態判定手段）４２と、移動判定部（移動判定手段）４３と、情報格納部（情報格納手段）４４と、個人情報格納部４５と、経路格納部（経路格納手段）４６と、番組表格納部４７とを含んで構成されている。
【００４１】
受信部４１は、移動端末２から送信された視聴情報を受信する部分である。また、受信部４１は、受信した視聴情報を状態判定部４２及び移動判定部４３に出力した後、状態判定部４２によって判定される移動端末２における視聴時刻の放送用電波の受信品質、及び移動判定部４３によって判定される視聴時刻の移動端末２の移動状態を受け取る。さらに、受信部４１は、受信した視聴情報に含まれる視聴者ＩＤに基づいて個人情報格納部４５を参照して、視聴者ＩＤが一致する個人情報データを読み出すことも行う。そして、読み出された個人情報データに含まれる許可フラグが“可”を示すものである場合は、そのデータに含まれる属性情報を取得する。図３は、個人情報格納部４５に格納されたデータの一例を示す。同図に示すように、個人の属性を示す属性情報「２８歳・会社員・男」と、その属性情報の開示可／不可を示す許可フラグ「1」とが、視聴者を特定する視聴者ＩＤ「001」に関連づけて格納されている。受信部４１は、例えば、視聴情報に含まれる視聴者ＩＤが「001」である場合には、許可フラグが“可”を示す「1」であるので、属性情報「２８歳・会社員・男」を取得する。
【００４２】
また、受信部４１は、視聴情報に含まれる番組チャンネル、イベント時刻、及び位置情報から、図４に示す番組表格納部４７を参照して放送番組名を特定する。図４に示すように、番組表格納部４７には、番組チャンネルと地域とに対応付けられた時間帯毎の放送番組名が格納されている。受信部４１は、例えば、視聴情報に含まれる番組チャンネルが「16」、イベント時刻が「2/17 10:14:07」であり、位置情報が「（X0,Y0）」で関東圏内を表している場合は、番組表格納部４７から、番組チャンネル及び地域が一致し、イベント時刻が時間帯に含まれる放送番組名を検索し、放送番組名「ニュースＡ」を特定する。
【００４３】
図１に戻って、受信部４１は、受信した視聴情報に属性情報、放送番組名、受信品質、及び移動状態を付加して情報格納部４４に格納する。ここで、受信部４１は、情報格納部４４にイベント時刻を格納する際に、より精度の高い時計機能を用いて時刻補正を行うように動作しても良い。この時刻補正は、例えば、移動端末２が視聴情報を送信した時刻と受信部４１がその視聴情報を受信した時刻との誤差に基づいて行うようにすれば良い。また、受信部４１は、視聴情報における視聴開始時のイベント時刻と視聴終了時のイベント時刻との間の経過時間が一定時間（例えば60sec）以内である場合は、対象の視聴情報を破棄するようにしても良い。
【００４４】
状態判定部４２は、受信部４１から出力された視聴情報に含まれる受信レベル及びノイズレベルに基づいて、視聴情報に含まれるイベント時刻における移動端末２の放送用電波の受信品質を判定する部分である。すなわち、視聴情報に含まれる受信レベルがＣ［dBm］、ノイズレベルがＮ［dBm］の場合においては、受信レベルＣ［dBm］及びＣＮ比Ｃ／Ｎ［dB］と、それぞれの閾値とを比較した結果によって受信品質を判定する。より詳細には、下記式（１）及び（２）を同時に満たす場合、下記式（３）及び（４）を同時に満たす場合、及び下記式（５）及び（６）を同時に満たす場合には、映像データ、音声データとも良好に再生可能と判断し、受信品質を「強」と判定する。
Ｃ≧ａ１        …（１）
Ｃ／Ｎ≧ｂ１    …（２）
Ｃ＜ａ１        …（３）
Ｃ／Ｎ＞ｂ２    …（４）
Ｃ＞ａ２        …（５）
Ｃ／Ｎ＜ｂ１    …（６）
［式（１）〜（６）中、ａ１，ａ２，ｂ１，ｂ２は予め設定された閾値を表す］
【００４５】
一方、状態判定部４２は、下記式（７）及び（８）、又は下記式（９）及び（１０）を同時に満たす場合には、映像データの再生時にブロックノイズが発生する可能性があると判断し、受信品質を「弱」と判定する。
ａ２≧Ｃ＞ａ１  …（７）
ｂ１＞Ｃ／Ｎ  …（８）
ａ１≧Ｃ  …（９）
ｂ２≧Ｃ／Ｎ＞ｂ１  …（１０）
［式（７）〜（１０）中、ａ１，ａ２，ｂ１，ｂ２は予め設定された閾値を表す］
【００４６】
一方、状態判定部４２は、上記式（８）及び（９）を同時に満たす場合には、映像データ及び音声データともに再生不可能と判断し、受信品質を「圏外」と判定する。図５は、上述のようにして状態判定部４２が判定する受信品質と、受信レベル及びＣＮ比との対応関係を示す図である。同図に示すように、受信レベルＣの値及びＣＮ比の値の組合せで受信品質が判定される。
【００４７】
図１に戻って、移動判定部４３は、受信部４１から出力された視聴情報に含まれる位置情報及び移動速度と、経路格納部４６に格納された地図情報データとに基づいて、視聴情報に含まれるイベント時刻における移動端末２の移動状態を判定する部分である。ここで、地図情報データベースには、駅、港、お店等の位置を表すランドマーク情報の他に、鉄道、道路、航路等の交通手段の経路を表す経路情報が含まれている。
【００４８】
以下、受信部４１が図２に示すような視聴情報を受け取った場合の、移動判定部４３の判定手順を説明する。
【００４９】
図６には、地図情報データベースに含まれる経路情報によって示される経路と移動端末２との位置関係を示す図である。同図において、経路Ｍ０１は、例えば鉄道路線を表しており、移動端末２は、Ａ点（X0,Y0）、Ｂ点（X1,Y1）、Ｃ点（X2,Y2）の順に移動していることを意味している。そこで、移動判定部４３は、Ａ点が経路Ｍ０１から所定誤差範囲内にある場合は、Ｂ点における移動速度Ｖ１からイベント時刻「2/17 10:15:07」における予想位置Ｂ０を計算する。そして、Ａ点とＢ点を結ぶ直線と、Ｂ０点における接線との傾きθを算出し、θが所定値（例えば、３０°）以下であって、かつＶ１が所定値以上である場合は、移動端末２の移動状態を「鉄道Ａ線列車乗車中」等と判定する。同様にして、Ｂ点とＣ点を結ぶ直線と、イベント時刻「2/17 10:16:00」における予想位置の接線との傾きθを算出し、θが所定値より大きく、かつＶ２が所定値以下である場合は、Ｃ点近傍のランドマーク情報を付加して、移動状態を「Ｂ駅付近歩行中」等と判定する。
【００５０】
図７には、以上のようにして生成された後、情報格納部４４に格納された視聴情報の一例を示す。同図に示すように、イベント種別「視聴開始」、及びイベント時刻「2/17 10:14:07」に関する視聴情報が、属性情報「２８歳・会社員・男」、放送番組名「ニュースＡ」、及び受信品質「弱」が付加されて視聴者ＩＤ「001」に関連づけて格納される。同様に、再生終了時刻「2/17 10:16:00」までの間に移動端末２において生成される視聴情報には、属性情報、放送番組名、及び受信品質に加えて、移動状態が付加された状態で情報格納部４４に格納される。
【００５１】
続いて、本実施形態にかかる視聴情報収集システム１の動作について説明し、併せて、本発明の実施形態にかかる視聴情報収集方法について説明する。図８は、本実施形態にかかる視聴情報収集システムの動作を示すシーケンス図である。
【００５２】
まず、移動端末２においてデジタルテレビ放送の視聴開始指示が受け付けられると、電波受信部２１は放送用電波の受信機能をオンする（ステップＳ１０１）。次に、操作ボタン等から視聴チャンネルの選局操作が受け付けられる（ステップＳ１０２）。この選局操作に対して、電波受信部２１はその視聴チャンネルに対応する周波数帯の放送用電波を受信するとともに、レベル測定部２４が放送用電波の受信レベル及びノイズレベルの測定を開始する（ステップＳ１０３）。
【００５３】
電波受信部２１による放送用電波が受信開始されると、信号再生部２２は、その放送用電波に多重化された搬送波を復調して映像データ及び音声データを取得後、それらの映像データ及び音声データの再生を開始する（ステップＳ１０４）。映像データ及び音声データが再生開始されると、位置取得部２５が移動端末２の位置情報を取得する（ステップＳ１０５）。そして、情報生成部２８は、イベント種別「視聴開始」に属する視聴情報に、受信レベル、ノイズレベル、及び位置情報を付加して視聴情報格納部２９に格納する（ステップＳ１０６）。
【００５４】
上記のようにしてデジタルテレビ放送の再生が開始された後、レベル測定部２４は、一定時間間隔Ｔ２で放送用電波の受信レベル及びノイズレベルを測定する（ステップＳ１０７）。また、再生開始から一定時間間隔Ｔ１で、位置取得部２５が位置情報を取得するとともに、速度検出部２７が移動端末２の現在の移動速度を検出する（ステップＳ１０８）。その後、情報生成部２８は、測定された受信レベル及びノイズレベル、位置情報及び移動速度のそれぞれについて、イベント種別「レベル取得」、「速度検出」に属する視聴情報を生成して視聴情報格納部２９に格納する（ステップＳ１０９）。
【００５５】
次に、移動端末２においてデジタルテレビ放送の視聴終了指示、又は番組チャンネルの切替要求が受け付けられると、電波受信部２１は一旦放送用電波の受信を終了する（ステップＳ１１０）。これに対して、位置取得部２５が位置情報を取得すると同時に、速度検出部２７がその位置情報に基づいて移動速度を検出する。さらに、レベル測定部２４が受信終了直前の放送用電波の受信レベル及びノイズレベルを測定後、情報生成部２８は、イベント属性「視聴終了」に属する視聴情報に、受信レベル、ノイズレベル、位置情報、及び移動速度を付加して視聴情報格納部２９に格納する（ステップＳ１１１）。
【００５６】
情報送信部３０は、上述のようにして視聴情報格納部２９に格納された視聴情報をサーバ装置４に送信する（ステップＳ１１２）。その後、サーバ装置の受信部４１により視聴情報が受信されると、移動端末２のユーザの属性情報及び放送番組名が特定される。さらに、状態判定部４２により、それぞれの視聴情報のイベント時刻における放送用電波の受信品質が判定される（ステップＳ１１３）。また、移動判定部４３により、イベント時刻における移動端末２の移動状態が判定される（ステップＳ１１４）。最後に、受信部４１により、受信された視聴情報にユーザの属性情報、放送番組名、受信品質、及び移動状態が付加されて情報格納部４４に格納される（ステップＳ１１５）。
【００５７】
以上説明した視聴情報収集システム１によれば、移動端末２が放送用電波を受信した後、放送用電波を復調再生するとともに、放送用電波の受信レベル及びノイズレベルを測定する。その際、移動端末２は、視聴時刻とその時刻における受信レベル及びノイズレベルとを含む視聴情報を生成してサーバ装置４に送信し、サーバ装置４は、受信レベルとノイズレベルとの比と、閾値とを比較して電波の受信品質を判定し、視聴情報を受信品質、及び移動端末２を特定する視聴者ＩＤに関連付けて格納する。これにより、受信電波環境が様々変化する場合であっても、個々の移動端末における受信機種別及び通信方式等に応じた放送視聴時の電波受信状況をサーバ装置に蓄積して提供することができる。すなわち、例えば視聴情報を番組提供事業者等に送信することにより、視聴時間中において放送がどの程度の受信品質で受信されたかの情報を含む視聴者の実質的な統計情報を提供することができる。
【００５８】
また、移動端末２が視聴情報に放送視聴時の自己の位置情報、移動速度を含んで送信し、サーバ装置４が視聴情報を受信後に、位置情報及び移動速度と経路格納部４６に格納された経路情報とに基づいて、移動端末２の移動状態を判定し、視聴情報を移動状態、及び視聴者ＩＤに関連付けて格納する。これにより、視聴者がどのような場所において、どのような交通機関を利用中に番組を視聴したかを把握でき、視聴者の行動パターンを含む統計情報をサーバ装置に蓄積して提供することができる。
【００５９】
［第２実施形態］
次に、本発明の第２実施形態について説明する。図９は、本発明の第２実施形態を示す視聴情報収集システム１１の概略構成図である。本実施形態にかかる視聴情報収集システム１１では、移動端末において放送用電波の受信品質を判定する点、及び移動端末からサーバ装置への視聴情報送信タイミングが第１実施形態のものと異なる。以下においては、視聴情報収集システム１１の構成要素における第１実施形態との相違点について詳述する。
【００６０】
移動端末１２の状態判定部１３１は、レベル測定部２４によって測定された放送用電波の受信レベル及びノイズレベルに基づいて、視聴時刻における移動端末１２の放送用電波の受信品質を判定する部分である。この判定方法は、上述した状態判定部４２と同様であるので説明を省略する。
【００６１】
情報生成部１２８は、信号再生部２２から再生開始又は再生終了を示すトリガー信号を受け取ると、再生された番組チャンネルと、現在時刻と、状態判定部１３１で判定された現在時刻における受信品質と、速度検出部２７から出力された位置情報及び移動速度とを含む視聴情報を生成する。また、情報生成部１２８は、再生開始時刻から一定時間間隔Ｔ２で、番組チャンネルと、状態判定部１３１で判定された受信品質とを含む視聴情報を生成する。さらに、情報生成部１２８は、再生開始時刻から一定時間間隔Ｔ１で、番組チャンネルと、ＧＰＳ測定部２６で測定された位置情報と、速度検出部２７で検出された移動速度とを含む視聴情報を生成する。その後、情報生成部１２８は、生成した視聴情報を、移動端末１２のユーザを特定する視聴者ＩＤ、及び視聴情報の種別を示すイベント種別に関連づけて、視聴情報格納部１２９に格納する。
【００６２】
図１０は、測位時間間隔Ｔ１、及びレベル測定時間間隔Ｔ２が、Ｔ１＝Ｔ２＝６０ｓｅｃの場合において、視聴情報格納部１２９に格納されるデータの一例を示す図である。同図に示すように、イベント種別「視聴開始」に属する視聴情報として、再生された番組チャンネル「16」と、イベント時刻としての再生開始時刻「2/17 10:14:07」と、再生開始時刻における受信品質「弱」、及び位置情報「(X0,Y0)」とが、視聴者ＩＤ「001」に関連づけて格納されている。また、再生開始からＴ１経過後に生成されるイベント種別「レベル取得」に属する視聴情報として、番組チャンネル「16」と、イベント時刻「2/17 10:15:07」と、受信品質「強」とが、視聴者ＩＤ「001」に関連づけて格納されている。同様に、再生開始からＴ２経過後に生成されるイベント種別「速度検出」に属する視聴情報として、番組チャンネル「16」と、イベント時刻「2/17 10:15:07」と、イベント時刻における位置情報「(X1,Y1)」、及び移動速度「V1」とが、視聴者ＩＤ「001」に関連づけて格納されている。さらには、再生終了時刻に生成される視聴情報として、イベント時刻としての再生終了時刻「2/17 10:16:00」を含むイベント種別「視聴終了」に属する視聴情報も併せて格納されている。
【００６３】
図９に戻って、情報送信部１３０は、視聴情報格納部１２９に格納された視聴情報をサーバ装置１４に送信する部分である。ここでの視聴情報の送信は、情報生成部１２８によって視聴情報が生成されるタイミングで行われる。
【００６４】
サーバ装置１４の受信部１４１は、移動端末１２から送信された視聴情報を受信する部分である。また、受信部１４１は、受信した視聴情報を移動判定部４３に出力した後、移動判定部４３によって判定される視聴時刻の移動端末１２の移動状態を受け取る。さらに、受信部１４１は、受信した視聴情報に含まれる視聴者ＩＤに基づいて個人情報格納部４５を参照して、視聴者ＩＤが一致する個人情報データを読み出すことも行う。また、受信部４１は、視聴情報に含まれる番組チャンネル、イベント時刻、及び位置情報から、番組表格納部４７を参照して放送番組名を特定する。そして、受信部４１は、受信した視聴情報に属性情報、放送番組名、及び移動状態を付加して情報格納部４４に格納する。
【００６５】
次に、図１１を参照しながら視聴情報収集システム１１の動作について説明するとともに、併せて視聴情報収集システム１１における視聴情報収集方法について詳述する。図１１は、視聴情報収集システム１１の動作を示すフローチャートである。なお、図１１におけるステップＳ２０１〜Ｓ２０５の各処理は、第１実施形態において詳述したステップＳ１０１〜Ｓ１０５の各処理（図８参照）と、それぞれ同一であるので、第１実施形態とは異なるステップＳ２０６以降の処理について説明する。
【００６６】
デジタルテレビ放送の再生開始時においてレベル測定部２４によって放送用電波の受信レベル及びノイズレベルが測定されると、状態判定部１３１は放送用電波の受信品質を判定して情報生成部１２８に送る（ステップＳ２０６）。これに対して、情報生成部１２８は、イベント種別「視聴開始」に属する視聴情報に、受信品質、及び位置情報を付加して視聴情報を生成した後、情報送信部１３０がその視聴情報をサーバ装置１４に送信する（ステップＳ２０７）。そして、サーバ装置１４の受信部１４１により視聴情報が受信され、放送番組名及び属性情報が付加された後、情報格納部４４に格納される（ステップＳ２０８）。
【００６７】
また、状態判定部１３１は、再生開始時刻から一定時間間隔Ｔ２で、放送用電波の受信レベル及びノイズレベルを測定する（ステップＳ２０９）。状態判定部１３１はこの受信レベル及びノイズレベルに基づいて放送用電波の受信品質を判定して情報生成部１２８に送る（ステップＳ２１０）。この場合、サーバ装置１４においては放送用電波の受信品質は判定されない。また、再生開始から一定時間間隔Ｔ１で、位置取得部２５が位置情報を取得するとともに、速度検出部２７が移動端末１２の現在の移動速度を検出する（ステップＳ２１１）。これに対して、情報生成部１２８は、受信品質が付加されたイベント種別「レベル取得」に属する視聴情報、及び位置情報と移動速度とが付加されたイベント種別「速度検出」に属する視聴情報を生成した後、情報送信部１３０がそれらの視聴情報をサーバ装置１４に送信する（ステップＳ２１２）。サーバ装置１４の受信部１４１により視聴情報が受信されると、移動判定部４３により移動端末１２の移動状態が判定される（ステップＳ２１３）。そして、受信部１４１により、受信された視聴情報にユーザの属性情報、放送番組名、及び移動状態が付加されて情報格納部４４に格納される（ステップＳ２１４）。
【００６８】
次に、移動端末１２においてデジタルテレビ放送の視聴終了指示、又は番組チャンネルの切替要求が受け付けられると、電波受信部１２１は一旦放送用電波の受信を終了する（ステップＳ２１５）。これに対して、位置取得部２５が位置情報を取得すると同時に、速度検出部２７がその位置情報に基づいて移動速度を検出する。また、レベル測定部２４が受信終了直前の放送用電波の受信レベル及びノイズレベルを測定後、状態判定部１３１が、その受信レベル及びノイズレベルに基づいて受信終了直前の受信品質を判定する（ステップＳ２１６）。情報生成部１２８は、イベント属性「視聴終了」に属する視聴情報に、受信品質、位置情報、及び移動速度を付加して視聴情報を生成した後、情報送信部１３０がこの視聴情報をサーバ装置１４に送信する（ステップＳ２１７）。以下、サーバ装置１４側では、ステップＳ２１３〜Ｓ２１４と同様にして、移動状態判定、視聴情報蓄積が行われる（ステップＳ２１８〜Ｓ２１９）。
【００６９】
このような視聴情報収集システム１１によっても、移動端末１２が放送用電波を受信した後、放送用電波を復調再生するとともに、放送用電波の受信レベル及びノイズレベルを測定する。その際、移動端末１２は、受信レベルとノイズレベルとの比と、閾値とを比較して電波の受信品質を判定した後、視聴時刻とその受信品質とを含む視聴情報を生成してサーバ装置１４に送信し、サーバ装置１４は、視聴情報を受信品質、及び移動端末１２を特定する視聴者ＩＤに関連付けて格納する。これにより、受信電波環境が様々変化する場合であっても、個々の移動端末における受信機種別及び通信方式等に応じた放送視聴時の電波受信状況をサーバ装置に蓄積して提供することができる。特に、移動端末において放送用電波の受信品質が判定されているので、受信品質判定の自由度がより高くなる。
【００７０】
なお、本発明は上述した各実施形態に限定されるものではない。例えば、視聴情報収集システムにおいては、デジタルテレビ放送以外にもアナログ放送、ラジオ放送、文字放送等の視聴情報を収集蓄積するようにしても良い。
【００７１】
また、視聴情報収集システム１，１１においては、受信レベルとして移動端末における放送用電波の電界強度、及びノイズレベルとしてノイズの電界強度を測定して視聴情報に含めて送信しても良いし、これらに基づいて受信品質を判定するように動作しても良い。
【００７２】
また、移動端末において、受信レベルとして、１つの放送信号が搬送される複数搬送波の一定時間内の受信電力Ｓを測定しても良い。この場合、これらの複数搬送波に含まれるノイズの一定時間内の受信電力Ｎ（ノイズレベル）を測定した後、この受信電力の比（Ｓ／Ｎ比）に基づいて受信品質を判定するように動作しても良い。
【００７３】
また、視聴情報収集システム１，１１においては移動端末２，１２が自己の移動速度を検出するものとしたが、サーバ装置１４側で検出するようにしても良い。
【００７４】
また、視聴情報収集システム１，１１においては、ＧＰＳ測位により移動端末の測位を行い、その測位結果から移動端末２，１２の速度を算出するものとしたが、これは、ドップラ効果を利用した速度センサ、空間フィルタを利用した速度センサ等により速度を検出するようにしても良い。さらに、移動端末にサイズモ式やサーボ式等の加速度センサを搭載して、移動端末の加速度に基づいて移動状態を判定するようにしても良い。
【００７５】
また、位置取得部２５は、ＧＰＳ測位以外の手段で自己の位置情報を取得しても良い。例えば、このような位置情報として、無線基地局等から報知される報知情報に含まれる無線基地局コード等の無線基地局を特定する情報が挙げられる。
【図面の簡単な説明】
【００７６】
【図１】本発明の第１実施形態を示す視聴情報収集システムの概略構成図である。
【図２】図１の視聴情報格納部に格納されるデータの一例を示す図である。
【図３】図１の個人情報格納部に格納されるデータの一例を示す図である。
【図４】図１の番組表格納部に格納されるデータの一例を示す図である。
【図５】状態判定部が判定する受信品質と受信レベル及びＣＮ比との対応関係を示す図である。
【図６】経路情報によって示される経路と移動端末との位置関係を示す図である。
【図７】図１の情報格納部に格納された視聴情報の一例を示す図である。
【図８】第１実施形態にかかる視聴情報収集システムの動作を示すシーケンス図である。
【図９】本発明の第２実施形態を示す視聴情報収集システムの概略構成図である。
【図１０】図９の視聴情報格納部に格納されるデータの一例を示す図である。
【図１１】第２実施形態にかかる視聴情報収集システムの動作を示すシーケンス図である。
【符号の説明】
【００７７】
１，１１…視聴情報収集システム、２，１２…移動端末、４，１４…サーバ装置、６…ネットワーク、２１…電波受信部、２２…信号再生部、２４…レベル測定部、２５…位置取得部、２７…速度検出部、２８，１２８…情報生成部、２９，１２９…視聴情報格納部、３０…情報送信部、４１，１４１…受信部、４２，１３１…状態判定部、４３…移動判定部、４４…情報格納部、４６…経路格納部。  
【図１】
2005260728.tif 000003
【図２】
2005260728.tif 000004
【図３】
2005260728.tif 000005
【図４】
2005260728.tif 000006
【図５】
2005260728.tif 000007
【図６】
2005260728.tif 000008
【図７】
2005260728.tif 000009
【図８】
2005260728.tif 000010
【図９】
2005260728.tif 000011
【図１０】
2005260728.tif 000012
【図１１】
2005260728.tif 000013